(57)【要約】【課題】異なる採光環境に応じて適度な採光効果を提供することができる中空板を提供する。【解決手段】水平状に延伸されて形成された上板１０と、上板と平行して並ぶように設けられた下板２０と、上板１０と下板２０とを連結して上板１０及び下板２０と共に多数の中空部５０を形成した複数のリブ３０とを備えてなり、上板１０、下板２０及びリブ３０における少なくとも一つ、例えばリブ３０に多数の気室４０を含ませて設ける。【選択図】図１
0003188628.tif 000002
【実用新案登録請求の範囲】
【請求項１】
水平状に延伸されて形成された上板と、
前記上板と平行して並ぶように設けられた下板と、
前記上板と前記下板とを連結して前記上板及び前記下板と共に多数の中空部を形成した複数のリブとを備えてなり、
前記上板、前記下板及び前記リブにおける少なくとも一つに多数の気室を含ませて設けていることを特徴とする、中空板。
【請求項２】
前記中空板は、熱可塑性材料を用いて押出成形法により構成され、
多数の前記気室を含む前記上板、前記下板及び前記リブにおける少なくとも一つは、熱可塑性材料に化学発泡剤を添加して押出成形法により形成されることを特徴とする、請求項１に記載の中空板。
【請求項３】
多数の前記気室を含む前記上板、前記下板及び前記リブにおける少なくとも一つは、熱可塑性材料に０.１％〜０.７５％の化学発泡剤を添加して押出成形法により形成されることを特徴とする、請求項２に記載の中空板。
【請求項４】
各前記リブはそれぞれ、正面視で平行四辺形に形成された前記中空部を画成するように前記上板、前記下板に対して傾斜すると共に、互いに所定の間隔をおいて前記上板と前記下板との間を連結していることを特徴とする、請求項３に記載の中空板。
【請求項５】
前記上板と前記リブとに多数の前記気室を含ませて構成されていることを特徴とする、請求項４に記載の中空板。
【請求項６】
前記下板と前記リブとに多数の前記気室を含ませて構成されていることを特徴とする、請求項４に記載の中空板。
【請求項７】
前記上板と前記下板とに多数の前記気室を含ませて構成されていることを特徴とする、請求項４に記載の中空板。
【請求項８】
前記上板と前記下板と前記リブとに多数の前記気室を含ませて構成されていることを特徴とする、請求項４に記載の中空板。
【請求項９】
各前記リブはそれぞれ、正面視で長方形に形成された前記中空部を画成するように前記上板、前記下板に対して直立すると共に、互いに所定の間隔をおいて前記上板と前記下板との間を連結していることを特徴とする、請求項３に記載の中空板。
【請求項１０】
更に、前記上板における前記リブと連結した内面と反対側の外面に、前記上板と接触するように設けられた第１の外板と、前記下板における前記リブと連結した内面と反対側の外面に、前記下板と接触するように設けられた第２の外板とを有し、
前記上板と前記下板と前記リブとに多数の前記気室を含ませて構成されていることを特徴とする、請求項４又は９に記載の中空板。
【考案の詳細な説明】
【技術分野】
【０００１】
本考案は、直射光等の差し込みを避けて、拡散された適度の柔らかな採光を得ることができる中空板に関する。
【背景技術】
【０００２】
従来より、概ね上板と、下板と、上板及び下板と共に多数の中空部を形成した複数のリブとを備えて構成された中空板が既に知られている（例えば特許文献１、２、３参照）。
【先行技術文献】
【特許文献】
【０００３】
【特許文献１】台湾登録実用新案第３９２４７１号明細書
【特許文献２】台湾登録実用新案第５４７３２６号明細書
【特許文献３】台湾登録実用新案第４５９６５５号明細書
【考案の概要】
【考案が解決しようとする課題】
【０００４】
中空板は、採光カバーや戸棚、天窓などの窓、パーティションの面材として、直射光等の差し込みを避けて、拡散された適度の柔らかな採光を得るために用いられているが、採光条件に合わせて中空板をつくらなければならない問題点がある。
【０００５】
本考案は、上記問題点に鑑みてなされたものであり、異なる採光環境に応じて適度な採光効果を提供することができる中空板を提供することを目的とする。
【課題を解決するための手段】
【０００６】
上記目的を達成するために、本考案に係る中空板は、水平状に延伸されて形成された上板と、前記上板と平行して並ぶように設けられた下板と、前記上板と前記下板とを連結して前記上板及び前記下板と共に多数の中空部を形成した複数のリブとを備えてなり、前記上板、前記下板及び前記リブにおける少なくとも一つに多数の気室を含ませて設けていることを特徴とする。
【考案の効果】
【０００７】
上記のように構成された中空板は、上板、下板及びリブにおける一つに多数の気室を含ませることによって、日差しや室内照明などの入射光をまっすぐに透過させることなく屈折させることで、中空板は霧がかかったようになり、直射光を和らげ、まぶしさを低減することができる。従って、強い直射光の差込みを避けることができ、適度の柔らかな採光を得ることができる。
【図面の簡単な説明】
【０００８】
【図１】本考案に係る中空板の第１の実施形態の構成を示す正面図である。
【図２】本考案に係る中空板の第２の実施形態の構成を示す正面図である。
【図３】本考案に係る中空板の第３の実施形態の構成を示す正面図である。
【図４】本考案に係る中空板の第４の実施形態の構成を示す正面図である。
【図５】本考案に係る中空板の第５の実施形態の構成を示す正面図である。
【考案を実施するための形態】
【０００９】
以下、本考案に係る中空板を実施するためのいくつかの実施形態を図面に基づき説明する。なお、各図面に示される同一または同等の構成要素には、同一の符号を付するものとし、適宜重複した説明は省略する。また、実施の形態は、考案を限定するものではなく例示であって、実施の形態に記述されるすべての特徴やその組み合わせは、必ずしも考案の本質的なものであるとは限らない。
【００１０】
（第１の実施形態）
図１には、本考案に係る中空板の第１の実施形態の構成を示している。第１の実施形態に係る中空板１は、水平状に延伸されて形成された上板１０と、上板１０と平行して並ぶように設けられた下板２０と、上板１０と下板２０とを連結して上板１０及び下板２０と共に多数の中空部５０を形成した複数のリブ３０とを備えて構成されている。複数のリブ３０はそれぞれ、正面視で平行四辺形に形成された中空部５０を画成するように上板１０或いは下板２０に対して傾斜すると共に、互いに所定の間隔をおいて上板１０と下板２０との間を連結している。この形態では、リブ３０の内部に多数の気室４０を含ませて設けている。
【００１１】
中空板は、ポリカーボネート（ＰＣ）、ポリプロピレン（ＰＰ）或いはポリエチレン（ＰＥ）等の熱可塑性材料を用いて例えば押出成形法により光透過性を備えるように製造されるものである。リブ３０は、熱可塑性樹脂を用いる他、化学発泡剤を添加して例えば押出成形法により製造されるものである。一例として、リブ３０は、熱可塑性樹脂に０.１％〜０.７５％の化学発泡剤を添加して熱により多数の気室４０を分散して含むように成形されることができる。化学発泡剤は、一例として市販品のＨＹＤＲＯＣＥＲＯＬ（商品名）を用いる。
【００１２】
上記のように構成された中空板１は、平行に設置された上板１０と下板２０との間を多数の気室４０を含むリブ３０によって連結していることにより、日差しや室内照明などの入射光を上板１０、リブ３０、気室４０などにてまっすぐに透過することなくばらばらに屈折させることで、中空板１は霧がかかったようになり、直射光を和らげ、まぶしさを低減することができる。従って、強い直射光の差込みを避けることができ、適度の柔らかな採光をも得ることができる。
【００１３】
また、リブ３０に多数の気室４０が設けられているので、同じ厚さの下、中空板１の重量を減らすことができ、リブ３０を製造する材料の量も少なくて済む。また、リブ３０が多数の気室４０を含むので、リブ３０の支持強度を良好に保つことができる。
【００１４】
（第２の実施形態）
図２には、本考案に係る中空板の第２の実施形態の構成を示している。この実施形態において、水平状に延伸されて形成された上板１０Ａと、上板１０Ａと平行して並ぶように設けられた下板２０と、上板１０Ａと下板２０とを連結して上板１０Ａ及び下板２０と共に多数の中空部５０を形成した複数のリブ３０とを備えて中空板２が構成されている。複数のリブ３０はそれぞれ、正面視で平行四辺形に形成された中空部５０を画成するように上板１０Ａ或いは下板２０に対して傾斜すると共に、互いに所定の間隔をおいて上板１０Ａと下板２０との間を連結している。この形態では、上板１０Ａ及びリブ３０の内部に多数の気室４０が設けられているが、反対に下板２０及びリブ３０の内部に多数の気室４０を設けるようにすることもできる。なお、この第２の実施形態の中空板は上記第１の実施形態と同様な製造法によりつくられる。
【００１５】
この形態に係る中空板２によれば、上記の形態と同様な効果を有すると共に、直射光をさらに屈折させることができるため、直射光をより一層和らげることができ、また中空板２の重量をより一層減らすことができる。
【００１６】
（第３の実施形態）
図３には、本考案に係る中空板の第３の実施形態の構成を示している。この実施形態において、水平状に延伸されて形成された上板１０Ａと、上板１０Ａと平行して並ぶように設けられた下板２０Ａと、上板１０Ａと下板２０Ａとを連結して上板１０Ａ及び下板２０Ａと共に多数の中空部５０を形成した複数のリブ３０Ａとを備えて中空板３が構成されている。複数のリブ３０Ａはそれぞれ、正面視で平行四辺形に形成された中空部５０を画成するように上板１０Ａ或いは下板２０Ａに対して傾斜すると共に、互いに所定の間隔をおいて上板１０Ａと下板２０Ａとの間を連結している。この形態では、上板１０Ａ及び下板２０Ａの内部に多数の気室４０が設けられている。なお、この第３の実施形態の中空板は上記第１の実施形態と同様な製造法によりつくられる。
【００１７】
この形態に係る中空板３によれば、上記の形態と同様な効果を有すると共に、直射光をより一層和らげることができ、また中空板３の重量をより一層減らすことができる。
【００１８】
（第４の実施形態）
図４には、本考案に係る中空板の第４の実施形態の構成を示している。この実施形態において、水平状に延伸されて形成された上板１０Ａと、上板１０Ａと平行して並ぶように設けられた下板２０Ａと、上板１０Ａと下板２０Ａとを連結して上板１０Ａ及び下板２０Ａと共に多数の中空部５０を形成した複数のリブ３０とを備えて中空板４が構成されている。複数のリブ３０はそれぞれ、正面視で平行四辺形に形成された中空部５０を画成するように上板１０Ａ或いは下板２０Ａに対して傾斜すると共に、互いに所定の間隔をおいて上板１０Ａと下板２０Ａとの間を連結している。この形態では、上板１０Ａ、下板２０Ａ及びリブ３０の内部に多数の気室４０が設けられている。なお、この第４の実施形態の中空板は上記第１の実施形態と同様な製造法によりつくられる。
【００１９】
この形態に係る中空板４によれば、上記の形態と同様な効果を有すると共に、直射光をさらに屈折させることができるため、直射光をより一層和らげることができ、また中空板４の重量をより一層減らすことができる。
【００２０】
（第５の実施形態）
図５には、本考案に係る中空板の第５の実施形態の構成を示している。この実施形態において、水平状に延伸されて形成された上板１０Ａと、上板１０Ａと平行して並ぶように設けられた下板２０Ａと、上板１０Ａと下板２０Ａとを連結して上板１０Ａ及び下板２０Ａと共に多数の中空部５０Ａを形成した複数のリブ３０とを備えて中空板５が構成されている。複数のリブ３０はそれぞれ、正面視で長方形に形成された中空部５０Ａを画成するように上板１０Ａ或いは下板２０Ａに対して直立すると共に、互いに所定の間隔をおいて上板１０Ａと下板２０Ａとの間を連結している。この形態では、上板１０Ａ、下板２０Ａ及びリブ３０の内部に多数の気室４０が設けられている。また、この中空板５は更に、上板１０Ａにおけるリブ３０と連結した内面と反対側の外面に上板１０Ａと接触するように設けられた第１の外板６０と、下板２０Ａにおけるリブ３０と連結した内面と反対側の外面に下板２０Ａと接触するように設けられた第２の外板７０とを有する。なお、この第５の実施形態の中空板は上記第１の実施形態と同様な製造法によりつくられる。
【００２１】
この形態に係る中空板５によれば、上記の形態と同様な効果を有すると共に、直射光をさらに屈折させることができるため、直射光をより一層和らげることができ、直射光ではなく、拡散された柔らかな光が室内などの環境に導入されることができる。また、上板１０Ａ及び下板１０Ｂの外面のそれぞれは第１の外板６０、第２の外板７０が設けられているので、中空板５の構造強度をより一層高めることができる。なお、これら第１と第２の外板６０、７０は、上記第１〜第４の実施形態にも、本実施形態と同様に適用することもできる。
【００２２】
以上のように、本考案に係る中空板は、異なる採光環境に応じて適度に用いることができる。
【００２３】
以上、本考案をいくつかの実施の形態をもとに説明した。これらの実施の形態はあくまで例示であり、実施の形態どうしの任意の組み合わせ、実施の形態の各構成要素や各処理プロセスの任意の組み合わせなどの変形例もまた、本考案の範囲にあることは当業者に理解されるところである。
【産業上の利用可能性】
【００２４】
本考案に係る中空板は、柔らかな採光を得る環境に有用である。
【符号の説明】
【００２５】
１〜５    中空板
１０、１０Ａ    上板
２０、２０Ａ    下板
３０、３０Ａ    リブ
４０    気室
５０、５０Ａ    中空部
６０    第１の外板
７０    第２の外板
【図１】
0003188628.tif 000003
【図２】
0003188628.tif 000004
【図３】
0003188628.tif 000005
【図４】
0003188628.tif 000006
【図５】
0003188628.tif 000007